(57)【要約】【課題】流体濾過用フィルタエレメントにおいて、コストを低減し且つ安定性及び好ましい気流の流動特性を得られるようにする。【解決手段】本発明は、流体１８、特に空気を濾過するフィルタエレメント２０に関し、折り畳み部２８の折り畳みエッジ３２が未処理側でフィルタエレメントの流入面４０を、清浄側でその流出面４２を定義された折り畳み濾材２６を用いたフィルタエレメントを有する。フィルタエレメント２０は少なくとも１つの濾材安定化エレメント４８を有し、濾材安定化エレメント４８は、濾材２６の外形５３に適合する外形５１を持つ安定化部５０を有し、安定化部５０は濾材２６を安定させるべく濾材２６と接して位置し、濾材安定化エレメント４８は、安定化部５０の反対側に位置し、未処理側で流入面４０から突き出し、清浄側で流出面４２から突き出す。また、本発明は当該フィルタエレメント２０を用いたフィルタに関する。【選択図】図３
2016068078.tif 000002
【特許請求の範囲】
【請求項１】
折り畳み部（２８）の折り畳みエッジ（３２）が未処理側でフィルタエレメント（２０）の流入面（４０）と清浄側で前記フィルタエレメント（２０）の流出面（４２）とを定義する、折り畳まれた濾材（２６）を有する前記フィルタエレメント（２０）を流通する流体、特に空気を濾過するフィルタエレメントであって、
前記フィルタエレメント（２０）は、少なくとも１つの濾材安定化エレメント（４８）を有し、
少なくとも１つの前記濾材安定化エレメント（４８）は、安定化部（５０）を有し、該安定化部（５０）は、前記濾材（２６）の外形（５３）と適合する外形（５１）を有し、
前記安定化部（５０）は、前記濾材（２６）を安定化させるために、該濾材（２６）と接して位置し、
少なくとも１つの前記濾材安定化エレメント（４８）は、流れ案内部（５６）を有し、該流れ案内部（５６）は、前記安定化部（５０）の反対側に位置すると共に、未処理側で流入面（４０）から突き出し、及び／又は清浄側で流出面（４２）から突き出すことを特徴とするフィルタエレメント。
【請求項２】
請求項１に記載のフィルタエレメントにおいて、
少なくとも１つの前記濾材安定化エレメント（４８）は、前記折り畳み部（２８）を横切って延びる縦方向（３０）に関し、少なくとも一部が曲がるように設けられていることを特徴とするフィルタエレメント。
【請求項３】
請求項１又は２に記載のフィルタエレメントにおいて、
個々の前記安定化部（５０）は、前記濾材（２６）と、特に材料的な固着及び／又は互いの嵌め合いによって接続されていることを特徴とするフィルタエレメント。
【請求項４】
請求項１〜３のいずれか１項に記載のフィルタエレメントにおいて、
個々の前記安定化部（５０）の外形（５１）は、前記安定化部（５０）が前記濾材（２６）の前記折り畳み部（２８）と噛み合うことができる凹部（５２）を有しているため、前記濾材（２６）の外形（５３）と適合することを特徴とするフィルタエレメント。
【請求項５】
請求項１〜４のいずれか１項に記載のフィルタエレメントにおいて、
個々の前記安定化部（５０）の外形（５１）は、互いに隣接する折り畳み部（２８）の間の窪みと噛み合う突き出し爪として櫛状に設けられており、一方、前記折り畳みエッジ（３２）に向かう前記折り畳み部（２８）は、前記突き出し爪同士の間の窪みと噛み合うことを特徴とするフィルタエレメント。
【請求項６】
請求項１〜５のいずれか１項に記載のフィルタエレメントにおいて、
少なくとも個々の前記流れ案内部（５６）は、壁状に設けられていることを特徴とするフィルタエレメント。
【請求項７】
請求項１〜６のいずれか１項に記載のフィルタエレメントにおいて、
個々の前記流れ案内部（５６）は、未処理側での前記フィルタエレメント（２０）の前記流入面（４０）と清浄側での前記フィルタエレメント（２０）の流出面（４２）との間の距離の少なくとも２５％と一致する最大高さ、好ましくは少なくとも５０％と一致する最大高さ、より好ましくは少なくとも７５％と一致する最大高さ、最も好ましくは少なくとも１００％と一致する最大高さを有していることを特徴とするフィルタエレメント。
【請求項８】
請求項１〜７のいずれか１項に記載のフィルタエレメントにおいて、
個々の前記流れ案内部（５６）は、前記折り畳み部（２８）を横切って延びる縦方向（３０）において変化する高さ（５８）を有していることを特徴とするフィルタエレメント。
【請求項９】
請求項１〜８のいずれか１項に記載のフィルタエレメントにおいて、
少なくとも１つの前記濾材安定化エレメント（４８）は、平坦な材料から形成されるか、及び／又は平坦な材料として構成されることを特徴とするフィルタエレメント。
【請求項１０】
請求項１〜９のいずれか１項に記載のフィルタエレメントにおいて、
前記フィルタエレメント（２０）は、少なくとも２つの前記濾材安定化エレメント（４８）を有しており、
前記濾材安定化エレメント（４８）のうちの少なくとも１つの前記流れ案内部（５６）は、清浄側で前記フィルタエレメント（２０）の前記流出面（４２）から突き出しており、
前記濾材安定化エレメント（４８）のうちのさらに少なくとも１つの前記流れ案内部（５６）は、未処理側で前記フィルタエレメント（２０）の前記流入面（４０）から突き出していることを特徴とするフィルタエレメント。
【請求項１１】
請求項１０に記載のフィルタエレメントにおいて、
前記濾材安定化エレメント（４８）は、清浄側の前記流出面（４２）又は未処理側の前記流入面（４０）から排他的に突き出すことを特徴とするフィルタエレメント。
【請求項１２】
請求項１〜１１のいずれか１項に記載のフィルタエレメントを備えたフィルタであって、
前記フィルタ（１０）は、未処理側のパーツ（２４）と清浄側のパーツ（２２）とを有する収容器（１２）を備え、
未処理側において前記収容器（１２）の前記パーツ（２４）には、流入開口部（１４）が配置されており、該流入開口部（１４）には未濾過の流体（１８）が前記収容器（１２）に流通可能であり、
清浄側において前記収容器（１２）の前記パーツ（２２）には、流出開口部（１６）が配置されており、該流出開口部（１６）には濾過済みの流体（１８）が前記収容器（１２）に流通可能であることを特徴とするフィルタ。
【請求項１３】
請求項１２に記載のフィルタにおいて、
前記流入開口部（１４）及び前記流出開口部（１６）は、互いに交差するように配置されており、
前記フィルタ（１０）を流通する前記流体（１８）は、少なくとも１つの前記濾材安定化エレメント（４８）の前記流れ案内部（５６）を通過して、その方向が少なくとも部分的に逸らされることを特徴とするフィルタ。
【請求項１４】
請求項１２又は１３に記載のフィルタにおいて、
前記フィルタ（１０）は、空気フィルタ、特に内燃機関用、例えば自動車用の空気フィルタであることを特徴とするフィルタ。
【発明の詳細な説明】
【技術分野】
【０００１】
本発明は、流体濾過用フィルタエレメントに関し、特に流体として空気であり、折り畳み濾材を用いたフィルタエレメントを流通し、折り畳み部の折り畳みエッジは、未処理側でフィルタエレメントの流入面を定義し且つ清浄側でフィルタエレメントの流出面を定義する。さらに、本発明は、このようなフィルタエレメントを用いたフィルタに関する。
【背景技術】
【０００２】
ここで、このようなフィルタエレメントは、内燃機関の燃焼室に加えられる清浄な新気のために、内燃機関における新気システムに使われるようになるのが好ましい。その上、このようなフィルタエレメントは、車室内に加えられる新気を清浄化するために、車内換気システムにも使われるようになり得る。
【０００３】
このような折り畳み濾材を用いたフィルタエレメントは、複数の折り畳み部を有しており、これら複数の折り畳み部は、フィルタエレメントの縦方向に、互いに隣接して配置される。ここで、フィルタエレメントの縦方向において、各々で隣接する２つの折り畳み部は、共有する折り畳みエッジを介して互いに接続される。ここで、個々の折り畳みエッジは、フィルタエレメントの横方向に対して平行に延びる。
【０００４】
折り畳み濾材のこのようなフィルタエレメントは、折り畳み部によって、曲げに関する剛性が小さい。これは、折り畳み部に又は濾材の個々に安定性が要求されるからである。例えば、特許文献１には、折り畳み部の安定化のために濾材に射出された櫛状のシーラントが開示されている。
【０００５】
さらに、例えば特許文献２には、フィルタ内の気流に影響を及ぼすために、フィルタエレメントの上にリブを配置することが開示されている。
【先行技術文献】
【特許文献】
【０００６】
【特許文献１】国際公開第９１／１９８９８号明細書
【特許文献２】欧州特許第１８４３０３５号明細書
【発明の概要】
【発明が解決しようとする課題】
【０００７】
本発明は、本明細書の導入部に挙げたタイプのフィルタエレメント及び／又はフィルタの、改良された又は少なくとも他の実施形態に生じる問題に基づいている。それは、特に、コストの低減を伴う、向上した安定性及び好ましい気流の流動特性を有している。
【課題を解決するための手段】
【０００８】
この問題は、独立請求項の主題によって本発明により解決される。有利な実施形態は、従属請求項の主題である。
【０００９】
本発明は、濾材の折り畳み部を安定させると共に、フィルタ内の気流の流動性に影響を与えることができる要素の組み合わせから生じる普遍的なアイデアに基づいている。このように、必要なパーツの数が削減され、これにより、コスト的に有利な結果を得ることができる。
【００１０】
詳細には、本発明は以下の構成を提案する。すなわち、フィルタエレメントが少なくとも１つの濾材安定化エレメントを有しており、該少なくとも１つの濾材安定化エレメントは、濾材の外形に適合した外形を持つ安定化部を有し、該安定化部は濾材と接して位置し、これにより、濾材を安定させることができる。少なくとも１つの濾材安定化エレメントは、安定化部の反対側に位置する流れ案内部を有し、未処理側でフィルタエレメントの流入面から突き出し、及び／又は清浄側でフィルタエレメントの流出面から突き出す。
【００１１】
安定化部が濾材の外形に適合した外形を有し、且つ、該安定化部が濾材と接して位置するという事実により、濾材における個々の折り畳み部の可動性が互いに制限される。これにより、フィルタエレメントの安定性が向上する。特に、個々の折り畳み部の位置が、互いに安定する。濾材安定化エレメントが安定化部の反対側に位置する流れ案内部を有し、且つ、未処理側でフィルタエレメントの流入面から突き出し、又は清浄側でフィルタエレメントの流出面から突き出すという事実により、濾材安定化エレメントは、フィルタ内で濾過された流体の流れに影響を与えることもできる。特に、未処理側で流入面から突き出し、及び／又は清浄側で流出面から突き出すという部分は、流体の流れに影響を与えるために自由に構成され得る。これにより、例えばフィルタエレメントの負荷が均等となり得る。
【００１２】
好ましい解決策は、少なくとも１つの濾材安定化エレメントが折り畳み部を横切って延びる縦方向に関し、少なくとも一部が曲がるように設けられるということである。濾材安定化エレメントが曲がるように設けられるという事実により、濾材安定化エレメントの流れ案内部も曲がるように延び、これにより、流体の流れは、特に有利なように向きが変えられる。従って、例えばフィルタエレメントの負荷は、特に有利なように影響を受け得る。さらに、フィルタに起因する流動抵抗は減少し得る。
【００１３】
いくつかの濾材安定化エレメントを有する場合に、全ての濾材安定化エレメントが少なくとも一部で曲がるように設けられているならば、流体の流れに与える影響は、特に有利となる。
【００１４】
有利な解決策は、個々の安定化部が、特に材料的な固着及び／又は互いの嵌め合いによって濾材と接続されているということである。これにより、濾材は、安定化部によって特に有利に保持されることができる。なぜなら、この場合、圧力と張力とが共に伝達され得るからである。例えば、安定化部は、濾材とは、接着、射出、溶着又は可塑化される。
【００１５】
濾材を安定化するさらに有利な解決策は、安定化部が濾材の折り畳み部と噛み合うことができる凹部を有しているため、個々の安定化部の外形が濾材の外形と適合するということである。
【００１６】
個々の安定化部の外形が、互いに隣接する折り畳み部の間の窪みと噛み合う突き出し爪として櫛状に設けられている場合に、折り畳みエッジに向かう折り畳み部が突き出し爪同士の間の凹部と噛み合う限りは、特に有利となる。
【００１７】
濾材を安定化するさらに有利な解決策は、個々の安定化部が差し込みエッジを有しており、該差し込みエッジの列が安定化部に関する濾材の折り畳み部の列と一致しているということである。
【００１８】
ここで、個々の安定化部が、材料的に固着するような濾材によって差し込みエッジと接続されていることが特に好ましい。従って、その形状、特に濾材の折り畳み部における形状が、特に有利となるように安定化され得る。
【００１９】
少なくとも個々の流れ案内部が壁状に設けられていることが特に有利となる。壁状とは、壁の厚さが、他の２つの空間的な方向の大きさよりも小さいことを意味する。好ましくは、他の空間的方向の大きさが壁の厚さの５倍以上、より好ましくは１０倍以上、最も好ましくは壁の厚さの２０倍以上である。流れ案内部の壁状構造により、壁の厚さが２０倍以上の後者は、高い流動抵抗を伴う方向と低い流動抵抗を伴う方向とを有する。これにより、目標通りに、流体の流れが特に案内されて影響され得る。
【００２０】
個々の流れ案内部が、未処理側でのフィルタエレメントの流入面と清浄側でのフィルタエレメントの流出面との間の距離の少なくとも２５％と一致する最大高さ、好ましくは少なくとも５０％と一致する最大高さ、より好ましくは少なくとも７５％と一致する最大高さ、最も好ましくは少なくとも１００％と一致する最大高さを有している場合には、特に有利である。流れ案内部の十分な高さにより、少なくとも１００％と一致する最大高さを有する後者は、流体の流れに影響を与えるのに十分に大きい面積を持つ。
【００２１】
流体の流れに影響を与えるために、折り畳み部を横切って延びる個々の流れ案内部が、縦方向において変化する高さを有している場合には、特に有利である。流れ案内部の高さの変化により、流体の流れに対する該流れ案内部の効果は、目標と同等以上に適応が可能である。
【００２２】
製造方法における特に有利な可能性は、少なくとも１つの濾材安定化エレメントが平坦な部材から形成されることである。これに代えて又はこれに加えて、少なくとも１つの濾材安定化エレメントは、平坦な部材、例えばプラスチック射出成形によって形成できるようになっている。
【００２３】
加えて、さらなる特に有利な可能性は、濾材がこのような濾材安定化エレメントを少なくとも２つ有しているということである。濾材安定化エレメントのうちの少なくとも１つの流れ案内部は、清浄側でフィルタエレメントの流出面から突き出し、且つ、濾材安定化エレメントのうちのさらに少なくとも１つの流れ案内部は、未処理側でフィルタエレメントの流入面から突き出すことである。このように、流体の流れは、フィルタの清浄側と未処理側とで影響を受け得る。これにより、フィルタエレメントの負荷と、フィルタにおける全流動抵抗においても、特に有利な影響を受け得る。
【００２４】
さらに、有利な変形は、個々に且つ排他的に、濾材安定化エレメントが清浄側で流出面から突き出すか、又は未処理側で流入面から突き出すかであるということである。これにより、清浄側及び未処理側の濾材安定化エレメントにおける流れ案内部は、互いに独立して設けられ得る。これにより、未処理側及び清浄側の流体の流れは、互いに独立して影響を受け得る。
【００２５】
さらに加えて、先に言及した問題は、上記の記載によるフィルタエレメントを有するフィルタによって解決される。該フィルタは、未処理側のパーツと清浄側のパーツとを有する収容器を有し、未濾過の流体が収容器に流入し得る流入開口部は、収容器の未処理側のパーツに配置され、濾過された流体が収容器から流出し得る流出開口部は、収容器の清浄側のパーツに配置される。これにより、参照された上記の記述がこの観点で作製されるように、フィルタエレメントの有利さが該フィルタに伝達される。
【００２６】
有利な変形は、流入開口部及び流出開口部が、互いに交差するように配置されているということである。これにより、フィルタを流通する流体は、その向きが変えられなければならない。また、フィルタを流通する流体は、少なくとも１つの濾材安定化エレメントにおける流れ案内部によって少なくとも部分的にその向きが変えられる。互いに交差する流入開口部及び流出開口部の配置によって、特に取り付けスペース及び取り付け位置に関し、個々の使用目的に存する要求が種々に考慮され得る。まさにこのような場合に、濾材安定化エレメントにおける、組み合わされた安定性及び流れ案内の効果は、特に有利となる。
【００２７】
特に有利な解決策は、フィルタがエアフィルタ（空気フィルタ）であり、特に内燃機関用の、例えば自動車用のエアフィルタ（空気フィルタ）であるということである。現代の自動車においては、エンジンルーム内の取り付けスペースは、特に制限されており、このため、本発明による解決策の有利さは、特に十分に実施され得る。
【００２８】
本発明に係るさらに重要な特徴及び効果は、従属請求項、図面及び該図面の援助を伴う図面に関する記述に現れる。
【００２９】
上述した特徴及び以下にさらに説明される特徴は、個々に指示した組み合わせに限られず、本発明の領域から外れることがない他の組み合わせで又は単独で使用可能である。
【００３０】
本発明に係る、好ましい例示的実施形態は、図面に示され、以下の明細書にさらに詳細に説明される。ここで、同一の参照符号は、同一の又は類似の又は機能的に同一の構成物を指す。
【図面の簡単な説明】
【００３１】
【図１】図１は本発明の一実施形態に係るフィルタを示し、部分破断を伴う斜め上方からの斜視図である。
【図２】図２は図１のフィルタを示し、部分破断を伴う斜め下方からの斜視図である。
【図３】図３は本発明の一実施形態に係るフィルタエレメントを示す斜め上方からの斜視図である。
【図４】図４は図３のフィルタエレメントを斜め下方から示す斜視図である。
【図５】図５は例示的な濾材安定化エレメントを示す側面図である。
【図６】図６はさらに例示的な濾材安定化エレメントを示す側面図である。
【図７】図７はさらに例示的な曲げられた濾材安定化エレメントを示し、明瞭化のため濾材安定化エレメントを曲げない状態で示す側面図である。
【発明を実施するための形態】
【００３２】
（一実施形態）
図１及び図２に示すフィルタ１０は、例えば、特に自動車用の内燃機関における新気システムに用いられる。フィルタ１０は、流入開口部１４と流出開口部１６とを備えた収容器１２を有している。流体１８、特に空気は、流入開口部１４を通してフィルタ１０内に流通し得る。フィルタ１０の収容器１２内において、流体１８は、フィルタエレメント２０を流通することができ、これにより、濾過され得る。濾過された流体１８は、流出開口部１６を通ってフィルタエレメント２０から再度出現し得る。
【００３３】
フィルタ１０の収容器１２は、複数の、例えば２つのパーツから構成される。収容器１２は、清浄側のパーツ２２と未処理側のパーツ２４とを有する。これらのパーツ２２、２４は、互いに脱着可能であり、且つフィルタエレメント２０とは流体的に互いに分離されている。これにより、収容器１２は、例えばフィルタエレメント２０の挿入又は交換のために開けることができる。
【００３４】
フィルタエレメント２０は、例えば、板状フィルタエレメントとして構成することができる。フィルタエレメント２０は濾材２６を有し、該濾材２６は折り畳まれている。濾材２６が折り畳まれていることにより、より大きいフィルタ領域が、より小さい取り付けスペースに収容され得る。これにより、フィルタエレメント２０を通る流動抵抗が低減され得る。
【００３５】
フィルタエレメント２０は、例えば、長方形基材領域を有し、そのうちの直角の角部の１つは切り落とされて、直角でない２つの角部に置き換えられている。これは、例えば、フィルタエレメント２０に適合させ、且つ、例えば自動車のエンジンルームに存在する利用可能な取り付けスペースに、フィルタエレメント２０及びフィルタ１０を適合させるために必要とされ得る。
【００３６】
濾材２６は、いくつかの折り畳み部２８を有し、該折り畳み部２８は、フィルタエレメント２０の縦方向３０に互いに隣接して配置されている。ここで、個々の折り畳み部２８は、折り畳みエッジ３２で接続されており、該折り畳みエッジ３２は、フィルタエレメント２０の横方向３４に対して並行に延びる。
【００３７】
濾材２６は、ジグザグ状に折り畳まれており、これにより、濾材２６の屈曲方向が折り畳みエッジ３２から次の折り畳みエッジ３２に交替する。このようにして、実質的に平行六面体状のフィルタエレメント２０が形成され、折り畳みエッジ３２は、互いに隣接する２列に配置される。折り畳みエッジ３２の上部の列は、フィルタエレメント２０の上面３６を形成し、折り畳みエッジ３２の下部の列は、フィルタエレメント２０の底面３８を形成する。加えて、窪み２９は、濾材２６の折り畳み部２８同士の間に形成される。
【００３８】
ここで、フィルタ１０におけるフィルタエレメント２０の例示的な取り付け位置において、底面３８は、未処理側でフィルタエレメント２０の流入面４０を形成する。これは、該底面３８が流入開口部１４と対向するからである。一方、フィルタエレメント２０の上面３６は、流出開口部１６と対向する。これにより、上面３６は、清浄側でフィルタエレメント２０の流出面４２を形成する。
【００３９】
さらに、フィルタエレメント２０は、濾材２６を囲む枠材４４を有している。但し、清浄側における流出面４２及び未処理側における流入面４０は、いずれも枠材４４によって覆われていない。枠材４４は、例えば、プラスチックから形成することができ、濾材２６と材料的に固着され、特に、接着、射出又は可塑化により接続され得る。
【００４０】
清浄側でのフィルタエレメント２０の流出面４２と接続して位置する枠材４４の縁において、フィルタエレメント２０は、シール材４６を有している。該シール材４６により、フィルタエレメント２０は、収容器１２に封止される。これにより、フィルタ１０の収容器１２を流通する流体１８は、フィルタエレメント２０の濾材２６を流通しなければならなくなる。
【００４１】
フィルタエレメント２０における濾材２６の折り畳み部２８により、該濾材２６は、特に折り畳みエッジ３２に沿う軸においての曲げに関する安定性が低い。さらに、折り畳み部２８は、互いに部分的に接して位置するために、隣接同士でも互いに接して傾き得る。これにより、濾材２６における通過流は、折り畳み部２８から次の折り畳み部２８で変化が生じ得る。さらに、これは、濾材２６の不均一な負荷に帰着する。このため、濾材２６の安定性、特に、濾材２６の折り畳み部２８における安定性が必要となる。
【００４２】
フィルタエレメント２０は、濾材安定化エレメント４８を有しており、該濾材安定化エレメント４８は、特に平坦な部材で製造されるか、又はそれに応じてプラスチックから射出される。
【００４３】
濾材安定化エレメント４８は安定化部５０を有しており、該安定化部５０は、濾材２６、特に折り畳み部２８を安定させるために、濾材２６と接して位置する。このため、安定化部５０は、濾材２６の外形５３に適合した外形５１を有している。安定化部５０は、折り畳み部２８と適合する凹部５２を有している。これにより、折り畳み部２８は、安定化部５０の各凹部５２に噛み合うことができる。リセス５２により、定化部５０に差し込みエッジ５４が形成される。該差し込みエッジ５４は、濾材安定化エレメント４８上の面に依存する上面３６又は底面３８の上において、濾材２６の列と一致し且つ配列され得る。
【００４４】
これにより、安定化部５０の外形５１は、櫛状に形成される。該安定化部５０は、突き出し爪５５を有しており、該突き出し爪５５はフィルタエレメント２０の縦方向３０に、凹部５２と交互となる。突き出し爪５５は、折り畳み部２８同士の間で窪み２９と噛み合う。折り畳み部２８は、折り畳みエッジ３２を前にして、突き出し爪５５同士の間の凹部５２にそれに応じて噛み合う。
【００４５】
従って、濾材安定化エレメント４８の安定化部５０が濾材２６に適用された場合に、該濾材２６の折り畳み部２８は、安定化部５０の凹部５２及び突き出し爪５５によって固定される。このため、濾材２６の曲がり又は折り畳み部２８の傾きが互いに妨げられる。
【００４６】
安定化部５０が濾材２６と接続されている場合に、改善された安定化効果が実現され得る。これは、例えば、材料の固着、特に接着、射出又は可塑化によって実行される。
【００４７】
濾材安定化エレメント４８の安定化部５０が、フィルタエレメント２０の縦方向に延びることが好ましい。このようにすると、濾材安定化エレメント４８の材料の使用に関して、大抵の折り畳み部２８が安定化部５０によって把持され得る。
【００４８】
進展する技術開発により、特に自動車開発において、有効な取り付けスペースは、できる限り効率的に利用されなければならない。これは、より多くのデバイスが、ますます同一のスペース内に配慮されなければならないからである。このため、フィルタ１０は、該フィルタ１０に利用可能な取り付けスペースに適合されなければならない。これにより、例えば、流入開口部１４は、流出開口部１６と交差する位置に配置される。このように、流体１８の流れは好ましくなく、このため、フィルタエレメント２０の負荷は均一でなくなる。これでは、フィルタエレメント２０をすぐに交換する必要が生じることになる。従って、高い維持費が発生する。
【００４９】
この理由により、流れ案内部５６が濾材安定化エレメント４８に設けられており、該流れ案内部５６は、安定化部５０と一体に設けられている。流れ案内部５６は、安定化部５０と反対側に配置されており、それ故に、清浄側の流出面４２から又は未処理側の流入面４０から突き出す。
【００５０】
流れ案内部５６が濾材２６から突き出すという事実により、該流れ案内部５６は、フィルタ１０における収容器１２の容積にはみ出す。これにより、該流れ案内部５６は、流体１８の流れに影響を与え得る。
【００５１】
流れ案内部５６は高さ５８を持ち、それは、濾材安定化エレメント４８の上端部６０と安定化部５０の凹部５２との距離として定義される。従って、流れ案内部５６はその高さ５８だけ、清浄側で流出面４２に突き出すか、又は未処理側で流入面４０から突き出す。
【００５２】
流体１８の流れの目標とされる影響を得るために、流れ案内部５６は、該流れ案内部５６の長さにわたって変化する高さ５８を有し得る。これにより、例えば、流体１８の流れのうち集中度をより低くしたい領域内においては、流れ案内部５６は低い高さ５８を有し得る。一方、流体１８の流れのうち集中度をより高くしたい領域内においては、流れ案内部５６はより大きい高さ５８を有し得る。
【００５３】
流れ案内部５６の最大高さ５９は、高さ５８が最大である濾材安定化エレメント４８の位置においての高さ５８として定義される。流体１８の流れに影響を与えるために、流れ案内部５６の最大高さ５９が、未処理側でのフィルタエレメント２０の流入面４０と清浄側でのフィルタエレメント２０の流出面４０との間の距離、すなわち濾材の厚さ６１に対する、少なくとも２５％、好ましくは少なくとも５０％、より好ましくは少なくとも７５％、最も好ましくは少なくとも１００％であれば有利となる。
【００５４】
さらに、例えば、流体１８の流れの方向を逸らすために、濾材安定化エレメント４８は、フィルタエレメント２０の縦方向３０に対して斜めに配置されている。このため、流れ案内部５６によって、流体１８は目標としたように導かれ得る。
【００５５】
濾材安定化エレメント４８が縦方向３０に対して斜めに延びる場合には、折り畳みエッジ３２及び折り畳み部２８も斜めに延びる。このため、凹部５２は、それに応じて適合されなければならない。折り畳みエッジ３２に対して安定化部５０が９０°から逸れる角度によって、折り畳み部２８における、安定化部５０によって同一の長さで保持し得る数が減少する。従って、９０°から逸れる角度、特に扁平な角度によって、凹部５２は拡張されなければならない。
【００５６】
濾材安定化エレメント４８が曲げられて形成されている場合には、特に好ましい。このため、曲げられた流れ案内部５６は、流体１８の流れが特に有利に方向が逸れ得る。この場合、安定化部５０の凹部５２と同様に、例えば図７に示すように、適合されなければならない。
【００５７】
流体１８の流れに、特に有利に影響を及ぼすために、いくつか、例えば４つの濾材安定化エレメント４８が設けられる。ここで、濾材安定化エレメント４８は、フィルタエレメント２０の両面、すなわち、清浄側での流出面４２及び未処理側での流入面４０に配置され得る。また、各濾材安定化エレメント４８は、それぞれ、両面のうちの一方の面にのみ配置される。
【００５８】
例えば、図３及び図４に示すフィルタエレメント２０は、清浄側でのフィルタエレメント２０の流出面４２に配置された２つの濾材安定化エレメント４８と、未処理側でのフィルタエレメント２０の流入面４０に配置された２つの濾材安定化エレメント４８とを有している。
【００５９】
このように、未処理側での収容器１２のパーツ２４内での流体１８の流れは、清浄側での収容器１２のパーツ２２内での流体１８とは独立して影響を受け得る。
【００６０】
個々の濾材安定化エレメント４８は、実際には、フィルタエレメント２０の全体の長さにまで延びてはいない。しかしながら、濾材安定化エレメント４８は、大抵の折り畳み部２８が安定化部５０によって安定化されるように、フィルタエレメント２０の濾材２６上に配置される。
【００６１】
本発明に係る解決策の著しい効果は、単一の構成要素による流れの案内（制御）によって折り畳み部の安定化を図る組み合わせであり、このため、製造コストが削減される。
【符号の説明】
【００６２】
１０  フィルタ
１２  収容器
１４  流入開口部
１６  流出開口部
１８  流体（空気）
２０  フィルタエレメント
２６  濾材
２８  折り畳み部
３０  縦方向
３２  折り畳みエッジ
４０  流入面
４２  流出面
４８  濾材安定化エレメント
５０  安定化部
５１、５３  外形
５２  凹部
５６  流れ案内部
【図１】
2016068078.tif 000003
【図３】
2016068078.tif 000004
【図４】
2016068078.tif 000005
【図５】
2016068078.tif 000006
【図６】
2016068078.tif 000007
【図７】
2016068078.tif 000008
【図２】
2016068078.tif 000009